(57)【要約】  【課題】冷却器と除霜関連部品を一体に組み込んで構成した冷却ユニットを貯蔵室の内箱後方に開口した開口部から取付けるものにおいて、冷却器の固定を確実にできる冷却ユニットを備えた冷蔵庫を提供する。  【解決手段】冷却器２０の除霜関連部品をあらかじめ一体に組み込んで冷却ユニット３２を構成し、冷却ユニット３２を貯蔵室の内箱後方に開口した開口部に発泡断熱材が充填される側から取付けるものにおいて、冷却ユニット３２は樹脂製の保持部材３１で保持され、保持部材３１に一体に形成した上下左右の固定用爪３４で、冷却器２０の側面Ｕ字パイプを固定することにより、冷却ユニット３２の組み込みを容易にするとともに、冷却器２０の外側の板（エンドプレート）を廃止することができる。【選択図】図２
2005265268.tif 000002
【特許請求の範囲】
【請求項１】
外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品をあらかじめ一体に組み込んで冷却ユニットを構成し、前記冷却ユニットを貯蔵室の内箱後方に開口した開口部に前記発泡断熱材が充填される側から取付けるものにおいて、前記冷却ユニットは樹脂製の保持部材で保持され、前記保持部材に一体に形成した固定部材で、前記冷却器のパイプを固定したことを特徴とする冷蔵庫。
【請求項２】
冷却器の固定は、前記冷却器の側面Ｕ字パイプで固定したことを特徴とする請求項１記載の冷蔵庫。
【請求項３】
冷却器の固定は少なくとも上下左右４点で支持していることを特徴とする請求項１または２記載の冷蔵庫。
【発明の詳細な説明】
【技術分野】
【０００１】
本発明は、冷蔵庫の冷却器取付けに関するものである。
【背景技術】
【０００２】
従来、この種の冷蔵庫の冷却器の構造は冷却器の外側の板の固定である（例えば、特許文献１参照）。
【０００３】
図３は特許文献１に記載された従来の冷蔵庫の冷却器取付け構造を示すものである。図において、１は冷却器であり、冷却器１には除霜装置２や除霜終了検知器３や温度ヒューズなど温度過昇防止用の安全装置などの除霜関連部品が樹脂製の保持部材４に係止され、冷却ユニット５を構成している。
【０００４】
以上のような構成において、冷却器１の外側の板に切り欠き６が施されており、保持部材４から、切り欠き６を固定する爪７が一体に成形され、固定されている。
【特許文献１】特開２００３−１２１０６６号公報
【発明の開示】
【発明が解決しようとする課題】
【０００５】
しかしながら、上記従来の構成では、冷却器の固定が冷却器外側の板１点で固定されているので、冷却器と保持部材の固定が不安定になるという課題を有していた。本発明は、上記従来の課題を解決するもので、冷却器と除霜関連部品を一体に組み込んで構成した冷却ユニットを貯蔵室の内箱後方に開口した開口部に前記発泡断熱材が充填される側から取付けるものにおいて、冷却器の固定を確実にできる冷却ユニットを備えた冷蔵庫を提供することを目的とする。
【課題を解決するための手段】
【０００６】
上記従来の課題を解決するために、本発明の冷蔵庫は、外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品をあらかじめ一体に組み込んで冷却ユニットを構成し、前記冷却ユニットを貯蔵室の内箱後方に開口した開口部に前記発泡断熱材が充填される側から取付けるものにおいて、前記冷却ユニットは樹脂製の保持部材で保持され、前記保持部材に一体に形成した固定部材で、前記パイプを固定したものである。
【０００７】
これによって、冷却器の外側の板を簡素化し、上下左右４点の支点で冷却器を固定することができる。
【発明の効果】
【０００８】
本発明の冷蔵庫は、冷却器と除霜関連部品を一体に組み込んで構成した冷却ユニットにおいて、冷却器のパイプを保持部材で固定したので、冷却ユニットの組み込みを容易にするとともに、冷却器の外側の板（エンドプレート）を廃止することができる。
【発明を実施するための最良の形態】
【０００９】
請求項１に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品をあらかじめ一体に組み込んで冷却ユニットを構成し、前記冷却ユニットを貯蔵室の内箱後方に開口した開口部に前記発泡断熱材が充填される側から取付けるものにおいて、前記冷却ユニットは樹脂製の保持部材で保持され、前記保持部材に一体に形成した固定部材で前記パイプを固定することで、組み立て精度が向上する。
【００１０】
請求項２に記載の発明は、請求項１に記載の発明において、冷却器の固定は、前記冷却器の側面Ｕ字パイプで固定したものであり、冷却器の固定を側面より確実に固定できる。
【００１１】
請求項３に記載の発明は、請求項１または２に記載の発明において、冷却器の固定は少なくとも上下左右４点で支持するものであり、冷却器の固定を上下左右から確実に行うことができる。
【００１２】
以下、本発明の実施の形態について、図面を参照しながら説明する。なお、この実施の形態によってこの発明が限定されるものではない。
【００１３】
（実施の形態１）
図１は、本発明の実施の形態１における、冷蔵庫の断面図である。図２は同実施の形態１の冷蔵庫における冷却ユニットの斜視図である。
【００１４】
図１において、１０は冷蔵庫本体であって、１１は断熱箱体を形成する外箱であり、１２は充填された発泡断熱材であり、１３は冷蔵庫本体１０の内壁を形成する内箱である。冷蔵室１４の下部には冷凍室１５があり、断熱仕切壁１６で仕切られている。
【００１５】
１７は冷蔵室１４の前面開口部を閉塞する開閉式の冷蔵室扉であり、１８は冷凍室１５前面開口部を閉塞する引出し式の冷凍室扉である。１９冷凍室１の後方に配置される冷却器室であり、冷却器室１９は冷却器２０、冷却器２０の下方に除霜装置２１が収納され、その下方に冷却器２０の除霜装置２１による除霜水を受ける水受け皿２２が設けられている。また冷却器２０の上方で断熱仕切壁１６の後方には送風ファン２３が設けられている。２４は冷凍室１５と冷却器室１９を仕切る仕切板である。また冷蔵庫２０の後方下部には機械室２７を有し圧縮機２８を配置し、上部には水受け皿２２の水を溜めて圧縮機２８の熱で蒸発させる蒸発皿２９が備えられている。
【００１６】
図２において、冷却器２０と、除霜装置２１や除霜終了検知器３０（以下、除霜センサ３０いう）や温度ヒューズなど温度過昇防止用の安全装置（図示せず）などの除霜関連部品３６は樹脂製の保持部材３１（例えばポリプロピレン樹脂）に係止され、冷却ユニット３２が組立てられる。
【００１７】
保持部材３１の両側部は冷却器２０が取付けられる方向に向かってフランジ部３３を有し断面略コ字状を形成している。３４は冷却器２０を保持部材３１に引掛けて固定する固定用爪であり、保持部材３１の上下左右に設けている。３５は保持部材３１の下部に一体成形された挟持部材であり除霜装置２１を挟持する。これらの係合部材はすべて保持部材３１に一体成形で形成されている。
【００１８】
そして、冷却ユニット３２を貯蔵室の内箱後方に開口した開口部に発泡断熱材が充填される側から取付けるものである。
【００１９】
以上のように構成された冷蔵庫について、以下その動作を説明する。
【００２０】
まず、冷却器２０を溶接により構成し、保持部材３１の上下左右に設けた固定用爪３４に冷却器２０の側面Ｕ字パイプを組み込んで固定する。その後、除霜装置２１や除霜センサ３０や温度ヒューズなど温度過昇防止用の安全装置などの除霜関連部品３６を冷却器２０に組み込む。そして、組み立てた冷却ユニット３２を貯蔵室の内箱後方に開口した開口部に発泡断熱材が充填される側から取付ける。これにより、冷却器２０の取付けが確実となり、組立精度も向上し、保持部材３１と冷却器２０の隙間を低減できる。
【００２１】
さらに、冷却器２０の配管で冷却器２０を固定するので、冷却器２０外側のエンドプレートを廃止することができ、低コスト化を図ることができる。
【産業上の利用可能性】
【００２２】
以上のように、本発明にかかる冷蔵庫は、冷却器と除霜関連部品を一体に組み込んで構成した冷却ユニットを貯蔵室の内箱後方に開口した開口部に前記発泡断熱材が充填される側から取付けるものにおいて、冷却器のパイプを保持部材で固定し、冷却ユニットの組み込みを容易にするものであり、冷却貯蔵庫等の用途にも適用できる。
【図面の簡単な説明】
【００２３】
【図１】本発明の実施の形態１における冷蔵庫の断面図
【図２】本発明の実施の形態１における冷却ユニットの斜視図
【図３】従来の冷蔵庫の断面図
【符号の説明】
【００２４】
１０  冷蔵庫本体
１１  外箱
１２  断熱材
１３  内箱
１４  冷凍室（貯蔵室）
２０  冷却器
３１  保持部材
３４  固定用爪
３６  除霜関連部品
【図１】
2005265268.tif 000003
【図２】
2005265268.tif 000004
【図３】
2005265268.tif 000005